(57)【特許請求の範囲】
【請求項１】
電子デバイスの第１のアンテナであって、
前記電子デバイスが、後部金属シェル部分及び第１の側部金属シェル部分を有する金属シェルを含み、前記第１のアンテナが、
第１の放射面と；
第１の誘電体シートと；
第１のＬ字形フィーダーと、を含み、
前記第１の放射面が、前記後部金属シェル部分及び前記第１の側部金属シェル部分によって形成され、略Ｔ字形スロット群及び第１のＬ字形スロットを有し、前記略Ｔ字形スロット群の一部が、前記後部金属シェル部分中に形成され、前記略Ｔ字形スロット群の他の部分が、前記第１の側部金属シェル部分中に形成され、前記第１のＬ字形スロットが、前記第１の側部金属シェル部分中に形成されており；
前記第１の誘電体シートが、前記後部金属シェル部分の前面に配置され、前記第１の誘電体シートの一部が、前記略Ｔ字形スロット群中に充填される又は前記略Ｔ字形スロット群を覆い；
前記第１のＬ字形フィーダーが、前記第１の誘電体シートの前面に配置され、第１の枝部及び第２の枝部を有し、前記第１のＬ字形フィーダーのエッジが、前記第１の誘電体シートのエッジの内側に位置することを特徴とする第１のアンテナ。
【請求項２】
前記略Ｔ字形スロット群が、
前記後部金属シェル部分中に形成される第１のスロットと、
前記第１の側部金属シェル部分中に形成される第２のスロットと、
第１の枝部及び第２の枝部を有し、前記後部金属シェル部分中に形成される第２のＬ字形スロットと、
第１の枝部及び第２の枝部を有し、前記第１の側部金属シェル部分中に形成される第３のＬ字形スロットとを含み、
前記第１のスロットの内側端部が、前記第２のＬ字形スロットの前記第１の枝部と接続し、前記第１のスロットの外側端部が、前記第２のスロットの内側端部と接続し、前記第２のＬ字形スロットの前記第２の枝部の外側端部が、前記第３のＬ字形スロットの前記第２の枝部の内側端部と接続し、前記第１の誘電体シートの外側エッジが、前記第２のＬ字形スロットの前記第１の枝部の外側エッジの外側に位置し、前記第１の誘電体シートの内側エッジが、前記第２のＬ字形スロットの前記第１の枝部の内側エッジの内側に位置する請求項１に記載の第１のアンテナ。
【請求項３】
前記第１のＬ字形フィーダーが、第１の枝部及び第２の枝部を有し、前記金属シェルの第１の内外方向において、前記第１のＬ字形フィーダーの前記第１の枝部の内側エッジが、前記第２のＬ字形スロットの前記第１の枝部の外側エッジと同一平面上にあり、前記第１のＬ字形フィーダーの前記第２の枝部の外側エッジが、前記第２のＬ字形スロットの前記第１の枝部の外側エッジの外側に位置し、前記第１のＬ字形フィーダーの前記第２の枝部の内側エッジが、前記第２のＬ字形スロットの前記第１の枝部の内側エッジの内側に位置する請求項１から２のいずれかに記載の第１のアンテナ。
【請求項４】
第１の位相遅れの溝が、前記第１のＬ字形フィーダーの前記第２の枝部中に形成され、前記第１の位相遅れの溝の外側エッジが、前記第２のＬ字形スロットの前記第１の枝部の外側エッジの外側に位置し、前記第１の位相遅れの溝の内側エッジが、前記第２のＬ字形スロットの前記第１の枝部の内側エッジの内側に位置する請求項２から３のいずれかに記載の第１のアンテナ。
【請求項５】
前記第１のスロットの内側端部と前記第２のＬ字形スロットの前記第２の枝部との間の距離は、前記第１のスロットの外側端部と前記第２のＬ字形スロットの前記第２の枝部との間の距離よりも大きい請求項２から４のいずれかに記載の第１のアンテナ。
【請求項６】
電子デバイスの第２のアンテナであって、
前記電子デバイスが、後部金属シェル部分及び第１の側部金属シェル部分を有する金属シェルを含み、前記アンテナが、
第２の放射面と；
第２の誘電体シートと；及び
第２のＬ字形フィーダーと、を含み、
前記第２の放射面が、前記後部金属シェル部分及び前記第１の側部金属シェル部分によって形成され、Ｔ字形スロット及び第４のＬ字形スロットを有し、前記Ｔ字形スロットは、前記第１の側部金属シェル部分中に形成され、第１の枝部及び第２の枝部を有し、前記第４のＬ字形スロットが、前記後部金属シェル部分中に形成され、第１の枝部及び第２の枝部を有し、前記第４のＬ字形スロットの前記第２の枝部の外側端部が、前記Ｔ字形スロットの前記第１の枝部の内側端部と接続し；
前記第２の誘電体シートが、前記後部金属シェル部分の前面に配置され、前記第２の誘電体シートの外側エッジが、前記第４のＬ字形スロットの前記第１の枝部の外側エッジの外側に位置し、前記第２の誘電体シートの内側エッジが、前記第４のＬ字形スロットの前記第１の枝部の内側エッジの内側に位置し、前記第２の誘電体シートの一部は、前記第４のＬ字形スロット中に充填される又は前記第４のＬ字形スロットを覆い；
前記第２のＬ字形フィーダーが、前記第２の誘電体シートの前面に配置され、第１の枝部及び第２の枝部を有し、前記第２のＬ字形フィーダーのエッジが、前記第２の誘電体シートのエッジの内側に位置することを特徴とする第２のアンテナ。
【請求項７】
前記第２のＬ字形フィーダーの前記第１の枝部が、前記第４のＬ字形スロットの前記第１の枝部の外側エッジの外側に位置し、前記第２のＬ字形フィーダーの前記第２の枝部の外側エッジが、前記第４のＬ字形スロットの前記第１の枝部の外側エッジの外側に位置し、前記第２のＬ字形フィーダーの前記第２の枝部の内側エッジが、前記第４のＬ字形スロットの前記第１の枝部の内側エッジの内側に位置する請求項６に記載の第２のアンテナ。
【請求項８】
第２の位相遅れの溝が、前記第２のＬ字形フィーダーの前記第２の枝部中に形成され、前記第２の位相遅れの溝の外側エッジが、前記第４のＬ字形スロットの前記第１の枝部の外側エッジの外側に位置し、前記第２の位相遅れの溝の内側エッジが、前記第４のＬ字形スロットの前記第１の枝部の内側エッジの内側に位置する請求項６から７のいずれかに記載の第２のアンテナ。
【請求項９】
後部金属シェル部分、第１の側部金属シェル部分、及び第２の側部金属シェル部分を含む金属シェル；及び
請求項１から５のいずれかに記載の前記後部金属シェル部分及び前記第１の側部金属シェル部分によって形成される第１の放射面を有する第１のアンテナを含むことを特徴とする電子デバイス。
【請求項１０】
請求項６から８のいずれかに記載の第２のアンテナを含む請求項９に記載の電子デバイス。
【請求項１１】
第３のアンテナを含み、
前記第３のアンテナが、
第３の放射面と；
第３の誘電体シートと；
第３のＬ字形フィーダーと、を含み
第３の放射面は、前記後部金属シェル部分及び前記第２の側部金属シェル部分によって形成され、第３のスロット及び第５のＬ字形スロットを有し、前記第３のスロットは、前記第２の側部金属シェル部分中に形成され、前記第５のＬ字形スロットは、第１の枝部及び第２の枝部を有し、前記後部金属シェル部分中に形成され、前記第５のＬ字形スロットの前記第１の枝部の外側端部は、前記第３のスロットの内側端部と接続し；
前記第３の誘電体シートは、前記後部金属シェル部分の前面に配置され、前記第３の誘電体シートの外側エッジは、前記第５のＬ字形スロットの前記第２の枝部の外側エッジの外側に位置し、前記第３の誘電体シートの内側エッジは、前記第５のＬ字形スロットの前記第２の枝部の内側エッジの内側に位置し、前記第３の誘電体シートの一部は、前記第５のＬ字形スロット中に充填される又は前記第５のＬ字形スロットを覆い；
前記第３のＬ字形フィーダーが、前記第３の誘電体シートの前面に配置され、前記第３のＬ字形フィーダーのエッジは、前記第３の誘電体シートのエッジの内側に位置する請求項９から１０のいずれかに記載の電子デバイス。
【請求項１２】
前記第３のＬ字形フィーダーが、第１の枝部及び第２の枝部を有し、前記金属シェルの第２の内外方向において、前記第３のＬ字形フィーダーの前記第２の枝部の内側エッジが、前記第５のＬ字形スロットの前記第２の枝部の外側エッジと同一平面上にあり、前記第３のＬ字形フィーダーの前記第１の枝部の外側エッジが、前記第５のＬ字形スロットの前記第２の枝部の外側エッジの外側に位置し、前記第３のＬ字形フィーダーの前記第１の枝部の内側エッジが、前記第５のＬ字形スロットの前記第２の枝部の内側エッジの内側に位置する請求項１１に記載の電子デバイス。
【請求項１３】
第３の位相遅れの溝が、前記第３のＬ字形フィーダーの前記第１の枝部中に形成され、前記第３の位相遅れの溝の外側エッジが、前記第５のＬ字形スロットの前記第２の枝部の外側エッジの外側に位置し、前記第３の位相遅れの溝の内側エッジが、前記第５のＬ字形スロットの前記第２の枝部の内側エッジの内側に位置する請求項１２に記載の電子デバイス。
【請求項１４】
前記金属シェルの中心線に対して、前記第２のアンテナと対称である第４のアンテナを含む請求項９から１３のいずれかに記載の電子デバイス。
【請求項１５】
前記金属シェルの中心線に対して、前記第１のアンテナと対称である第５のアンテナを含む請求項９から１４のいずれかに記載の電子デバイス。
【発明の詳細な説明】
【技術分野】
【０００１】
関連出願の相互参照
本願は、その開示内容の全体を参照によって援用する、２０１４年５月２６日に中国国家知識産権局に出願の中国特許出願第２０１４１０２２５４９８．１号に対する優先権及び利益を主張するものである。
【背景技術】
【０００２】
本開示の実施形態は、一般に、電子デバイスに関し、より詳細には、電子デバイスのアンテナに関する。
【０００３】
従来のアンテナは、今日では、全て金属によって形成されるシェルを有する電子デバイスに用いることができない。これは、アンテナの信号が遮蔽され、アンテナが通常通り動作することができないためである。更に、電子デバイスの従来のアンテナは、ＷＷＡＮ（ワイヤレス広域ネットワーク）をカバーすることができない。
【発明の概要】
【０００４】
本開示の実施形態は、関連技術に存在する問題の少なくとも１つを少なくともある程度にまで解決することを図る。
【０００５】
本開示の第１の態様の実施形態は、電子デバイスの第１のアンテナを提供し、前記デバイスは、後部金属シェル部分及び第１の側部金属シェル部分を有する金属シェルを含み、前記第１のアンテナは、前記後部金属シェル部分及び前記第１の側部金属シェル部分によって形成され、略Ｔ字形スロット群及び第１のＬ字形スロットを有する第１の放射面を含み、前記略Ｔ字形スロット群の一部は、前記後部金属シェル部分中に形成され、前記略Ｔ字形スロット群の他の部分は、前記第１の側部金属シェル部分中に形成され、前記第１のＬ字形スロットは、前記第１の側部金属シェル部分中に形成され；第１の誘電体シートは、前記後部金属シェル部分の前面に配置され、前記第１の誘電体シートの一部は、前記略Ｔ字形スロット群中に充填される又は前記略Ｔ字形スロット群を覆い；第１のＬ字形フィーダーは、前記第１の誘電体シートの前面に配置され、第１の枝部及び第２の枝部を有し、前記第１のＬ字形フィーダーのエッジは、前記第１の誘電体シートのエッジの内側に位置する。
【０００６】
本開示の実施形態に係る電子デバイスの第１のアンテナにでは、第１の放射面として、後部金属シェル部分及び第１の側部金属シェル部分を用いることで、第１のアンテナは、前記金属シェルによって遮蔽されない。更に、第１のアンテナは、様々な帯域幅の電気長をカバーする。即ち、第１のアンテナのスロットはいずれも、金属シェルを共振分岐、非励振素子、及び共振スロットに分割し、様々な帯域幅の電気長をカバーするために用いられ、それによって、第１のアンテナは、ＷＷＡＮをカバーすることができる。更に、第１の誘電体シートの一部が略Ｔ字形スロット群中に充填される又は覆っていることで、電子デバイスの外観がスロットによって影響されず、それによって、第１のアンテナは、実際の製品に用いることができることを保証する。
【０００７】
幾つかの実施形態においては、前記略Ｔ字形スロット群は、前記後部金属シェル部分中に形成される第１のスロット、前記第１の側部金属シェル部分中に形成される第２のスロット、第１の枝部及び第２の枝部を有し、前記後部金属シェル部分中に形成される第２のＬ字形スロット、及び第１の枝部及び第２の枝部を有し、前記第１の側部金属シェル部分中に形成される第３のＬ字形スロットを含み、前記第１のスロットの内側端部は、前記第２のＬ字形スロットの前記第１の枝部と接続し、前記第１のスロットの外側端部は、前記第２のスロットの内側端部と接続し、前記第２のＬ字形スロットの前記第２の枝部の外側端部は、前記第３のＬ字形スロットの前記第２の枝部の内側端部と接続し、前記第１の誘電体シートの外側エッジは、前記第２のＬ字形スロットの前記第１の枝部の外側エッジの外側に位置し、前記第１の誘電体シートの内側エッジは、前記第２のＬ字形スロットの前記第１の枝部の内側エッジの内側に位置する。
【０００８】
幾つかの実施形態においては、前記第１のＬ字形フィーダーは、第１の枝部及び第２の枝部を有し、前記金属シェルの第１の内外方向において、前記第１のＬ字形フィーダーの前記第１の枝部の内側エッジは、前記第２のＬ字形スロットの前記第１の枝部の外側エッジと同一平面上にあり、前記第１のＬ字形フィーダーの前記第２の枝部の外側エッジは、前記第２のＬ字形スロットの前記第１の枝部の外側エッジの外側に位置し、前記第１のＬ字形フィーダーの前記第２の枝部の内側エッジは、前記第２のＬ字形スロットの前記第１の枝部の内側エッジの内側に位置する。
【０００９】
幾つかの実施形態においては、第１の位相遅れの溝は、前記第１のＬ字形フィーダーの前記第２の枝部中に形成され、前記第１の位相遅れの溝の外側エッジは、前記第２のＬ字形スロットの前記第１の枝部の外側エッジの外側に位置し、前記第１の位相遅れの溝の内側エッジは、前記第２のＬ字形スロットの前記第１の枝部の内側エッジの内側に位置する。
【００１０】
幾つかの実施形態においては、前記第１のスロットの内側端部と前記第２のＬ字形スロットの前記第２の枝部との間の距離は、前記第１のスロットの外側端部と前記第２のＬ字形スロットの前記第２の枝部との間の距離よりも大きい。
【００１１】
本開示の第２の態様の実施形態は、電子デバイスの第２のアンテナを提供し、前記デバイスは、後部金属シェル部分及び第１の側部金属シェル部分を有する金属シェルを含み、前記アンテナは、前記後部金属シェル部分及び前記第１の側部金属シェル部分によって形成され、Ｔ字形スロット及び第４のＬ字形スロットを有する第２の放射面を含み、前記Ｔ字形スロットは、前記第１の側部金属シェル部分中に形成され、第１の枝部及び第２の枝部を有し、前記第４のＬ字形スロットは、前記後部金属シェル部分中に形成され、第１の枝部及び第２の枝部を有し、前記第４のＬ字形スロットの前記第２の枝部の外側端部は、前記Ｔ字形スロットの前記第１の枝部の内側端部と接続し；第２の誘電体シートは、前記後部金属シェル部分の前面に配置され、前記第２の誘電体シートの外側エッジは、前記第４のＬ字形スロットの前記第１の枝部の外側エッジの外側に位置し、前記第２の誘電体シートの内側エッジは、前記第４のＬ字形スロットの前記第１の枝部の内側エッジの内側に位置し、前記第２の誘電体シートの一部は、前記第４のＬ字形スロット中に充填される又は前記第４のＬ字形スロットを覆い；第２のＬ字形フィーダーは、前記第２の誘電体シートの前面に配置され、第１の枝部及び第２の枝部を有し、前記第２のＬ字形フィーダーのエッジは、前記第２の誘電体シートのエッジの内側に位置する。
【００１２】
本開示の実施形態に係る前記電子デバイスの第２のアンテナでは、前記第２の放射面として、前記後部金属シェル部分及び前記第１の側部金属シェル部分を用いることで、前記第２のアンテナは、前記金属シェルによって遮蔽されず、それによって前記第２のアンテナは、ＢＴ＆Ｗｉｆｉをカバーすることができる。更に、前記第２の誘電体シートの一部が前記Ｔ字形スロット中に充填される又は覆っていることで、前記電子デバイスの外観がスロットによって影響されず、それによって、第２のアンテナは、実際の製品に用いることができることを保証する。
【００１３】
幾つかの実施形態においては、前記第２のＬ字形フィーダーの前記第１の枝部は、前記第４のＬ字形スロットの前記第１の枝部の外側エッジの外側に位置し、前記第２のＬ字形フィーダーの前記第２の枝部の外側エッジは、前記第４のＬ字形スロットの前記第１の枝部の外側エッジの外側に位置し、前記第２のＬ字形フィーダーの前記第２の枝部の内側エッジは、前記第４のＬ字形スロットの前記第１の枝部の内側エッジの内側に位置する。
【００１４】
幾つかの実施形態においては、第２の位相遅れの溝は、前記第２のＬ字形フィーダーの前記第２の枝部中に形成され、前記第２の位相遅れの溝の外側エッジは、前記第４のＬ字形スロットの前記第１の枝部の外側エッジの外側に位置し、前記第２の位相遅れの溝の内側エッジは、前記第４のＬ字形スロットの前記第１の枝部の内側エッジの内側に位置する。
【００１５】
本開示の第３の態様の実施形態は、後部金属シェル部分、第１の側部金属シェル部分、及び第２の側部金属シェル部分を有する金属シェルと；本開示の前記実施形態に係る前記後部金属シェル部分及び前記第１の側部金属シェル部分によって形成される第１の放射面を有する第１のアンテナとを含む電子デバイスを提供する。
【００１６】
本開示の実施形態に係る電子デバイスでは、第１の放射面として、後部金属シェル部分及び第１の側部金属シェル部分を用いることで、第１のアンテナは、前記金属シェルによって遮蔽されない。更に、第１のアンテナは、様々な帯域幅の電気長をカバーする。即ち、第１のアンテナのスロットはいずれも、金属シェルを共振分岐、非励振素子、及び共振スロットに分割し、様々な帯域幅の電気長をカバーするために用いられ、それによって、第１のアンテナは、ＷＷＡＮをカバーすることができる。更に、前記第１の誘電体シートの一部が略Ｔ字形スロット群中に充填される又は覆っていることで、電子デバイスの外観がスロットによって影響されず、それによって、第１のアンテナは、実際の製品に用いることができることを保証する。更に、電子デバイスは、共振構造、高い実用性、大きな使用スペースを有し、帯域のスロットをカバーする。
【００１７】
幾つかの実施形態においては、前記電子デバイスは、本開示のアベイトメント（ａｂａｔｅｍｅｎｔｓ）に係る第２のアンテナを更に含む。
【００１８】
幾つかの実施形態においては、前記電子デバイスは、第３のアンテナを含み、前記第３のアンテナは、前記後部金属シェル部分及び前記第２の側部金属シェル部分によって形成され、第３のスロット及び第５のＬ字形スロットを有する第３の放射面を含み、前記第３のスロットは、前記第２の側部金属シェル部分中に形成され、前記第５のＬ字形スロットは、第１の枝部及び第２の枝部を有し、前記後部金属シェル部分中に形成され、前記第５のＬ字形スロットの前記第１の枝部の外側端部は、前記第３のスロットの内側端部と接続し；第３の誘電体シートは、前記後部金属シェル部分の前面に配置され、前記第３の誘電体シートの外側エッジは、前記第５のＬ字形スロットの前記第２の枝部の外側エッジの外側に位置し、前記第３の誘電体シートの内側エッジは、前記第５のＬ字形スロットの前記第２の枝部の内側エッジの内側に位置し、前記第３の誘電体シートの一部は、前記第５のＬ字形スロット中に充填される又は前記第５のＬ字形スロットを覆い；第３のＬ字形フィーダーは、前記第３の誘電体シートの前面に配置され、前記第３のＬ字形フィーダーのエッジは、前記第３の誘電体シートのエッジの内側に位置する。
【００１９】
幾つかの実施形態においては、前記第３のＬ字形フィーダーは、第１の枝部及び第２の枝部を有し、前記金属シェルの第２の内外方向において、前記第３のＬ字形フィーダーの前記第２の枝部の内側エッジは、前記第５のＬ字形スロットの前記第２の枝部の外側エッジと同一平面上にあり、前記第３のＬ字形フィーダーの前記第１の枝部の外側エッジは、前記第５のＬ字形スロットの前記第２の枝部の外側エッジの外側に位置し、前記第３のＬ字形フィーダーの前記第１の枝部の内側エッジは、前記第５のＬ字形スロットの前記第２の枝部の内側エッジの内側に位置する。
【００２０】
幾つかの実施形態においては、第３の位相遅れの溝は、前記第３のＬ字形フィーダーの前記第１の枝部中に形成され、前記第３の位相遅れの溝の外側エッジは、前記第５のＬ字形スロットの前記第２の枝部の外側エッジの外側に位置し、前記第３の位相遅れの溝の内側エッジは、前記第５のＬ字形スロットの前記第２の枝部の内側エッジの内側に位置する。
【００２１】
幾つかの実施形態においては、前記電子デバイスは、前記金属シェルの中心線に対して、前記第２のアンテナと対称である第４のアンテナを更に含む。
【００２２】
幾つかの実施形態においては、前記電子デバイスは、前記金属シェルの中心線に対して、前記第１のアンテナと対称である第５のアンテナを更に含む。
【００２３】
本開示の実施形態の追加の態様及び利点は、以下の記載において、部分的に示され、下記記載において部分的に明らかとなる、又は本開示の実施形態の実施から理解されるであろう。
【図面の簡単な説明】
【００２４】
本開示の実施形態のこれら及びその他の態様及び利点は、添付の図面を参照してなされた下記記載から明らかとなり、より容易に理解されるであろう。
【００２５】
【図１】図１は、本開示の実施形態に係る電子デバイスの背面拡大図である。
【００２６】
【図２】図２は、本開示の実施形態に係る第１のアンテナの概略図である。
【００２７】
【図３】図３は、本開示の実施形態に係る第２のアンテナの概略図である。
【００２８】
【図４】図４は、本開示の実施形態に係る第３のアンテナの概略図である。
【００２９】
【図５】図５は、本開示の実施形態に係る電子デバイスの概略図である。
【００３０】
【図６】図６は、本開示の実施形態に係る電子デバイスの右側面図である。
【００３１】
【図７】図７は、本開示の実施形態に係る第２のアンテナの右側面図である。
【００３２】
【図８】図８は、本開示の実施形態に係る第１のアンテナの部分右側面図である。
【００３３】
【図９】図９は、本開示の実施形態に係る第１のアンテナのメインアンテナのリターンロスの概略図である。
【００３４】
【図１０】図１０は、本開示の実施形態に係る第１のアンテナの従属アンテナのリターンロスの概略図である。
【００３５】
【図１１】図１１は、本開示の実施形態に係る第２のアンテナのメインアンテナのリターンロスの概略図である。
【００３６】
【図１２】図１２は、本開示の実施形態に係る第２のアンテナの従属アンテナのリターンロスの概略図である。
【００３７】
【図１３】図１３は、本開示の実施形態に係る第３のアンテナのメインアンテナのリターンロスの概略図である。
【００３８】
【図１４】図１４は、本開示の他の実施形態に係る第１のアンテナの概略図である。
【発明を実施するための形態】
【００３９】
以下、本開示の実施形態について詳細に説明する。本開示の実施形態は、図面に示される。本明細書の全体に亘って、同一又は類似の要素及び同一又は類似の機能を有する要素は、同じ参照番号で表される。図面に関して本明細書に記載される実施形態は、説明的且つ例示的なものであり、本開示を限定するものではない。
【００４０】
様々な実施形態及び例が以下の記載に提供され、本開示の各種構造を実施する。本開示を簡単にするために、具体的な要素及び設定が記載される。しかしながら、これらの要素及び設定は、単なる例であり、本開示を限定することを意図するものではない。更に、参照番号は、本開示における異なる例で繰り返し用いることができる。この繰り返しは、単純化及び明瞭化を目的とするものであって、異なる実施形態及び／又は設定間の関係について言及するものではない。更に、種々のプロセス及び材料の例が本開示中に提供される。しかしながら、当業者であれば、他のプロセス及び／又は材料も適用できることを理解するであろう。更に、第１の部分が第２の部分「上」にある構造は、前記第１の部分が前記第２の部分に直接接する実施形態を含むことができ、前記第１の部分が前記第２の部分に直接接しないように、更なる部分が前記第１の部分と前記第２の部分との間に形成される実施形態も含むことができる。
【００４１】
本開示の記載において、特段の記載又は限定がない限り、「搭載された」、「接続された」、及び「連結された」の用語は、電子接続、機械接続、２つのエレメント間の内部通信、反転構造を通した直接接続又は間接接続など、広く理解することができることに留意すべきであり、当業者であれば、具体的な状況に応じて理解することができるであろう。
【００４２】
下記記載及び図面に関して、本開示の実施形態のこれら及びその他の態様が明らかとなるであろう。記載及び図面においては、幾つかの特定の実施形態は、本開示に係る実施形態の原理を示すために記載されるが、本開示に係る実施形態の範囲は、これらに限定されないことが理解されよう。それとは反対に、添付された特許請求の範囲の精神、原理、及び範囲から逸脱することなく、実施形態において、変更、代替、及び改変を行うことができる。
【００４３】
以下、図面を参照して、電子デバイス及び電子デバイスのアンテナについて詳細に説明する。
【００４４】
図１は、本開示の実施形態に係る電子デバイスの背面拡大図である。図１に示されるように、前記電子デバイス１０は、金属シェル、第１のアンテナ１１０、第２のアンテナ１２０、第３のアンテナ１３０、第４のアンテナ１０５、及び第５のアンテナ１０６を含む。前記金属シェルは、後部金属シェル部分１０１３、第１の側部金属シェル部分１０１１、第２の側部金属シェル部分１０１２、及び第３の側部金属シェル部分１０１４を含む。
【００４５】
図２は、本開示の実施形態に係る第１のアンテナの概略図である。図５は、本開示の実施形態に係る電子デバイスの概略図である。図６は、本開示の実施形態に係る電子デバイスの右側面図である。図１、２、５、及び６に示されるように、電子デバイス１０の前記第１のアンテナ１１０は、第１の放射面１１０１、第１の誘電体シート１０２６、及び第１のＬ字形フィーダー１０２７を含む。
【００４６】
前記第１の放射面１１０１は、前記後部金属シェル部分１０１３及び前記第１の側部金属シェル部分１０１１を含む。即ち、前記後部金属シェル部分１０１３及び前記第１の側部金属シェル部分１０１１を用いて、前記第１のアンテナ１１０の前記第１の放射面１１０１を形成する。前記第１の放射面１１０１は、略Ｔ字形スロット群１１０２及び第１のＬ字形スロット１０２４を有し、前記略Ｔ字形スロット群１１０２の一部は、前記後部金属シェル部分１０１３中に形成され、前記略Ｔ字形スロット群１１０２の他方は、前記第１の側部金属シェル部分１０１１に形成され、前記第１のＬ字形スロット１０２４は、前記第１の側部金属シェル部分１０１１中に形成される。
【００４７】
前記第１の誘電体シート１０２６は、前記後部金属シェル部分１０１３の前面に配置され、前記第１の誘電体シート１０２６の一部は、前記略Ｔ字形スロット群１１０２中に充填される又は覆う。前記第１のＬ字形フィーダー１０２７は、前記第１の誘電体シート１０２６の前面に配置され、前記第１のＬ字形フィーダー１０２７のエッジは、前記第１の誘電体シート１０２６のエッジの内側に位置する。本開示の幾つかの実施形態においては、前方向は、紙面に対して垂直且つ内方に向き、後ろ方向は、紙面に対して垂直且つ外方に向いている。
【００４８】
本開示の実施形態に係る前記電子デバイス１０の前記第１のアンテナ１１０では、前記第１の放射面１１０１として、前記後部金属シェル部分１０１３及び前記第１の側部金属シェル部分１０１１を用いることで、前記第１のアンテナ１１０は、前記金属シェルによって遮蔽されない。更に、前記第１のアンテナ１１０は、様々な帯域幅の電気長をカバーする。即ち、前記第１のアンテナ１１０のスロットはいずれも、前記金属シェルを共振分岐、非励振素子、及び共振スロットに分割し、様々な帯域幅の電気長をカバーするために用いられ、それによって、前記第１のアンテナ１１０は、ＷＷＡＮをカバーすることができる。更に、前記第１の誘電体シート１０２６の一部が前記略Ｔ字形スロット群１１０２中に充填される又は覆っていることで、前記電子デバイス１０の外観がスロットによって影響されず、それによって、前記第１のアンテナ１１０は、実際の製品に用いることができることを保証する。
【００４９】
図７は、本開示の実施形態に係る第２のアンテナの右側面図である。図８は、本開示の実施形態に係る第１のアンテナの部分右側面図である。実施形態においては、前記金属シェルの第１の内外方向Ａは、図６〜８に示され、第２の内外方向Ｂは、図１及び５に示される。外側から前記後部金属シェルの中心へ向かう方向が内向きであり、前記後部金属シェルの中心から外側へ向かう方向が外向きである。
【００５０】
図１、２、５、及び６に示されるように、前記略Ｔ字形スロット群１１０２は、第１のスロット１０２２、第２のスロット１０２５、第１の枝部１０２１１及び第２の枝部１０２１２を有する第２のＬ字形スロット１０２１、第１の枝部１０２３１及び第２の枝部１０２３２を有する第３のＬ字形スロット１０２３を含む。前記第２のＬ字形スロット１０２１及び前記第１のスロット１０２２は、それぞれ、後部金属シェル部分１０１３中に形成され、前記第３のＬ字形スロット１０２３及び前記第２のスロット１０２５は、それぞれ、前記第１の側部金属シェル部分１０１１中に形成される。前記第１のスロット１０２２の内側端部は、前記第２のＬ字形スロット１０２１の前記第１の枝部１０２１１と接続し、前記第１のスロット１０２２の外側端部は、前記第２のスロット１０２５の内側端部と接続し、前記第２のＬ字形スロット１０２１の前記第２の枝部１０２１２の外側端部は、前記第３のＬ字形スロット１０２３の前記第２の枝部１０２３２の内側端部と接続し、前記第１の誘電体シート１０２６の外側エッジは、前記第２のＬ字形スロット１０２１の前記第１の枝部１０２１１の外側エッジの外側に位置し、前記第１の誘電体シート１０２６の内側エッジは、前記第２のＬ字形スロット１０２１の前記第１の枝部１０２１１の内側エッジの内側に位置し、それによって、前記第１のアンテナ１１０の構造は、より合理的であることができる。
【００５１】
更に、図１、２、５、及び６に示されるように、前記第３のＬ字形スロット１０２３の前記第１の枝部１０２３１は、前記第３のＬ字形スロット１０２３の前記第２の枝部１０２３２の外側エッジの外側に位置する。
【００５２】
図１４は、本開示の他の実施形態に係る第１のアンテナの概略図である。図１４に示されるように、前記第３のＬ字形スロット１０２３の前記第１の枝部１０２３１は、前記第３のＬ字形スロット１０２３の前記第２の枝部１０２３２の外側エッジの外側に位置する。
【００５３】
実施形態においては、前記第１のアンテナ１１０は、ＷＷＡＮアンテナであることができる。即ち、前記第１のアンテナ１１０は、ＷＷＡＮをカバーすることができる。前記第１のアンテナ１１０は、低周波の共振分岐、非励振素子、及び共振スロットを含むことができる。図２に示されるように、励振分岐Ｌ１、Ｌ３、及びＬ４は、８４２ＭＨｚ〜９６０ＭＨｚの周波数を有する低周波共振を生成し、非励振素子Ｌ２、Ｌ４、及びＬ５は、１．７１ＧＨｚ〜２．１７ＧＨｚの周波数を有する第１の高周波共振を生成し、共振スロット（即ち、第１のＬ字形スロット１０２４）は、１．７１ＧＨｚ〜２．１７ＧＨｚの周波数を有する第２の高周波共振を生成する。
【００５４】
実施形態においては、図１、２、及び５に示されるように、前記第１のＬ字形フィーダー１０２７は、第１の枝部１０２７１及び第２の枝部１０２７２を有していて、前記金属シェルの第１の内外方向Ａにおいて、前記第１の枝部１０２７１の内側エッジは、前記第２のＬ字形スロット１０２１の前記第１の枝部１０２１１の外側エッジと同一平面上にあり、前記第１のＬ字形フィーダー１０２７の前記第２の枝部１０２７２の外側エッジは、前記第２のＬ字形スロット１０２１の前記第１の枝部１０２１１の外側エッジの外側に位置し、前記第１のＬ字形フィーダー１０２７の前記第２の枝部１０２７２の内側エッジは、前記第２のＬ字形スロット１０２１の前記第１の枝部１０２１１の内側エッジの内側に位置していて、それによって、前記第１のアンテナ１１０の構造は、より合理的であることができる。
【００５５】
実施形態においては、前記第１のスロット１０２２の内側端部と前記第２のＬ字形スロット１０２１の前記第２の枝部１０２１２との間の距離は、前記第１のスロット１０２２の外側端部と前記第２のＬ字形スロット１０２１の前記第２の枝部１０２１２との間の距離よりも大きい。
【００５６】
図５に示されるように、前記第１のＬ字形フィーダー１０２７の前記第２の枝部１０２７２は、第１の位相遅れの溝１０２７３を有し、前記第１の位相遅れの溝１０２７３の外側エッジは、前記第２のＬ字形スロット１０２１の前記第１の枝部１０２１１の外側エッジの外側に位置し、前記第１の位相遅れの溝１０２７３の内側エッジは、前記第２のＬ字形スロット１０２１の前記第１の枝部１０２１１の内側エッジの内側に位置する。前記第１のＬ字形フィーダー１０２７の前記第２の枝部１０２７２中に前記第１の位相遅れの溝１０２７３を形成することで、前記第１のＬ字形フィーダー１０２７は、位相遅れの構造を有し、それによって、前記第１のＬ字形フィーダー１０２７がその間に一定の位相差を有する２つの励振信号を発生することを可能とし、類似した複数の共振点を励振し、それによって、共振点の縮退によって帯域幅が広げることができる。
【００５７】
実施形態においては、前記第１のアンテナ１１０の共振分岐及び共振スロットは、前記金属シェルのエッジに隣接することができ、それによってプリント基板の前記第１のアンテナ１１０のクリアランス条件を減少することができる。
【００５８】
前記第１のアンテナ１１０の共振分岐、非励振素子、及び共振スロットが互いに近接していると、互いに結合し、それによって、前記第１のアンテナ１１０の適切なサイズがシミュレーション及び実際の製品の組合せに応じて決定されることができる。実施形態においては、前記第２のＬ字形スロット１０２１の前記第１の枝部１０２１１の長さは、４８．５４ｍｍであり、前記第２のＬ字形スロット１０２１の前記第１の枝部１０２１１の幅は、１．５ｍｍであり、前記第２のＬ字形スロット１０２１の前記第２の枝部１０２１２の長さは、１１．２６ｍｍであり、前記第２のＬ字形スロット１０２１の前記第２の枝部１０２１２の幅は、１．５ｍｍ、である。前記第３のＬ字形スロット１０２３の前記第１の枝部１０２３１の長さは、１３ｍｍであり、前記第３のＬ字形スロット１０２３の前記第１の枝部１０２３１の幅は、１．５ｍｍであり、前記第３のＬ字形スロット１０２３の前記第２の枝部１０２３２の長さは、３．６２ｍｍであり、前記第３のＬ字形スロット１０２３の前記第２の枝部１０２３２の幅は、１．５ｍｍである。
【００５９】
前記第１のスロット１０２２の長さは、８．１２ｍｍであり、前記第１のスロット１０２２の幅は、１．５ｍｍであり、前記第２のスロット１０２５の長さは、９．５ｍｍであり、前記第２のスロット１０２５の幅は、１．５ｍｍである。前記第１のＬ字形スロット１０２４の前記第１の枝部１０２４１の長さは、２５ｍｍであり、前記第１のＬ字形スロット１０２４の前記第１の枝部１０２４１の幅は、１．５ｍｍであり、前記第１のＬ字形スロット１０２４の前記第２の枝部１０２４２の長さは、６．６ｍｍであり、前記第１のＬ字形スロット１０２４の前記第２の枝部１０２４２の幅は、１．５ｍｍである。
【００６０】
図３は、本開示の実施形態に係る第２のアンテナの概略図である。図１、３、及び５に示されるように、前記電子デバイス１０の前記第２のアンテナ１２０は、第２の放射面１２０１、第２の誘電体シート１０３３、及び第２のＬ字形フィーダー１０３４を含む。
【００６１】
前記第２の放射面１２０１は、前記後部金属シェル部分１０１３及び前記第１の側部金属シェル部分１０１１を含む。即ち、前記後部金属シェル部分１０１３及び前記第１の側部金属シェル部分１０１１を用いて、前記第２のアンテナ１２０の前記第２の放射面１２０１を形成する。前記第２の放射面１２０１は、Ｔ字形スロット１０３２及び第４のＬ字形スロット１０３１を有する。前記Ｔ字形１０３２は、第１の枝部１０３２１及び第２の枝部１０３２２を有し、前記第１の側部金属シェル部分１０１１中に形成される。前記第４のＬ字形スロット１０３１は、第１の枝部１０３１１及び第２の枝部１０３１２を有し、前記後部金属シェル部分１０１３中に形成される。前記第４のＬ字形スロット１０３１の前記第２の枝部１０３１２中の外側端部は、前記Ｔ字形スロット１０３２の前記第１の枝部１０３２１の内側端部と接続している。
【００６２】
前記第２の誘電体シート１０３３は、前記後部金属シェル部分１０１３の前面に配置されている。前記第２の誘電体シート１０３３の外側エッジは、前記第４のＬ字形スロット１０３１の前記第１の枝部１０３１１の外側エッジの外側に位置し、前記第２の誘電体シート１０３３の内側エッジは、前記第４のＬ字形スロット１０３１の前記第１の枝部１０３１１の内側エッジの内側に位置し、前記第２の誘電体シート１０３３の一部は、前記Ｔ字形スロット１０３２中に充填される又は前記Ｔ字形スロット１０３２を覆う。第２のＬ字形フィーダー１０３４は、前記第２の誘電体シート１０３３の前面に配置され、前記第２のＬ字形フィーダー１０３４のエッジは、前記第２の誘電体シート１０３３のエッジの内側に位置する。
【００６３】
本開示の実施形態に係る前記電子デバイス１０の前記第２のアンテナ１２０では、前記第２の放射面１２０１として、前記後部金属シェル部分１０１３及び前記第１の側部金属シェル部分１０１１を用いることで、前記第２のアンテナ１２０は、前記金属シェルによって遮蔽されず、それによって前記第２のアンテナ１２０は、ＢＴ＆Ｗｉｆｉをカバーすることができる。更に、前記第２の誘電体シート１０３３の一部が前記第４のＬ字形スロット１０３１中に充填される又は前記第４のＬ字形スロット１０３１を覆うことで、電子デバイスの外観がスロットによって影響されず、それによって、前記第２のアンテナ１２０は、実際の製品に用いることができることを保証する。
【００６４】
前記第２の誘電体シート１０３３は、プラスチックによって形成され、プラスチック−金属成型技術（ＰＭＨ）を用いて、前記第２の誘電体シート１０３３と前記金属シェルを共に合わせ、前記金属シェルの強度を確保することができる。
【００６５】
前記第２のアンテナ１２０は、ＢＴ＆Ｗｉｆｉ（ブルートゥース（登録商標）及びワイヤレス互換性認証）アンテナであることができ、前記第２のアンテナ１２０は、前記第４のＬ字形スロット１０３１及び前記Ｔ字形スロット１０３２を分割することで形成される２．４ＧＨｚの共振分岐及び非励振素子をカバーすることができ、前記第４のＬ字形スロット１０３１及び前記Ｔ字形スロット１０３２は、異なるＴ字形スロットを形成することができる。図３に示されるように、前記共振分岐Ｌ６は、周波数が２．４ＧＨｚである共振を発生させ、前記非励振素子Ｌ７は、周波数が５ＧＨｚ〜６ＧＨｚである共振を発生させ、それによって、前記第２のアンテナ１２０の適切なサイズがシミュレーション及び実際の製品の組合せに応じて決定されることができる。
【００６６】
実施形態においては、前記第４のＬ字形スロット１０３１の前記第１の枝部１０３１１の長さは、１２．５ｍｍであり、前記第４のＬ字形スロット１０３１の前記第１の枝部１０３１１の幅は、１．５ｍｍであり、前記第４のＬ字形スロット１０３１の前記第２の枝部１０３１２の長さは、１０．５４ｍｍであり、前記第４のＬ字形スロット１０３１の前記第２の枝部１０３１２の幅は、１．５ｍｍである。前記Ｔ字形スロット１０３２の前記第１の枝部１０３２１の長さは、９．５ｍｍであり、前記Ｔ字形スロット１０３２の前記第１の枝部１０３２１の幅は、１．５ｍｍであり、前記Ｔ字形スロット１０３２の前記第２の枝部１０３２２の長さは、６ｍｍであり、前記Ｔ字形スロット１０３２の前記第２の枝部１０３２２の幅は、１．５ｍｍである。
【００６７】
図５に示されるように、前記第２のＬ字形フィーダー１０３４の前記第１の枝部１０３４１は、前記第４のＬ字形スロット１０３１の前記第１の枝部１０３１１の外側エッジの外側に位置し、前記第２のＬ字形フィーダー１０３４の前記第２の枝部１０３４２の外側エッジは、前記第４のＬ字形スロット１０３１の前記第１の枝部１０３１１の外側エッジの外側に位置し、前記第２のＬ字形フィーダー１０３４の前記第２の枝部１０３４２の内側エッジは、前記第４のＬ字形スロット１０３１の前記第１の枝部１０３１１の内側エッジの内側に位置し、それによって前記第２のアンテナ１２０の構造は、より合理的であることができる。
【００６８】
図５に示されるように、前記第２のＬ字形フィーダー１０３４の前記第２の枝部１０３４２は、第２の位相遅れの溝１０３４３を有し、前記第２の位相遅れの溝１０３４３の外側エッジは、前記第４のＬ字形スロット１０３１の前記第１の枝部１０３１１の外側エッジの外側に位置し、前記第２の位相遅れの溝１０３４３の内側エッジは、前記第４のＬ字形スロット１０３１の前記第１の枝部１０３１１の内側エッジの内側に位置する。
【００６９】
前記第２のＬ字形フィーダー１０３４の前記第２の枝部１０３４２中に前記第２の位相遅れの溝１０３４３を形成することで、前記第２のＬ字形フィーダー１０３４は、位相遅れの構造を有し、それによって、前記第２のＬ字形フィーダー１０３４がその間に一定の位相差を有する２つの励振信号を発生することを可能とし、類似した複数の共振点を励振し、それによって、共振点の縮退によって帯域幅が拡張されることができる。
【００７０】
図４は、本開示の実施形態に係る第３のアンテナの概略図である。図１、４、５に示されるように、前記電子デバイス１０の前記第３のアンテナ１３０は、第３の放射面１３０１、第３の誘電体シート１０４３、及び第３のＬ字形フィーダー１０４４を含む。前記第３の放射面１３０１は、前記後部金属シェル部分１０１３及び第２の側部金属シェル部分１０１２を含む。即ち、前記後部金属シェル部分１０１３及び前記第２の側部金属シェル部分１０１２を用いて、前記第３のアンテナ１３０の前記第３の放射面１３０１を形成する。前記第３の放射面１３０１は、第３のスロット１０４２及び第５のＬ字形スロット１０４１を有し、前記第３のスロット１０４２は、前記第２の側部金属シェル部分１０１２中に形成され、前記第５のＬ字形スロット１０４１は、第１の枝部１０４１１及び第２の枝部１０４１２を有し、前記後部金属シェル部分１０１３中に形成され、前記第５のＬ字形スロット１０４１の前記第１の枝部１０４１１の外側端部は、前記第３のスロット１０４２の内側端部と接続している。
【００７１】
実施形態においては、前記第３の誘電体シート１０４３は、前記後部金属シェル部分１０１３の前面に配置され、前記第３の誘電体シート１０４３の外側エッジは、前記第５のＬ字形スロット１０４１の前記第２の枝部１０４１２の外側エッジの外側に位置する。前記第３の誘電体シート１０４３の内側エッジは、前記第５のＬ字形スロット１０４１の前記第２の枝部１０４１２の内側エッジの内側に位置し、前記第３の誘電体シート１０４３の一部は、前記第５のＬ字形スロット１０４１中に充填される又は前記第５のＬ字形スロット１０４１を覆う。前記第３のＬ字形フィーダー１０４４は、前記第３の誘電体シート１０４３の前面に配置され、前記第３のＬ字形フィーダー１０４４のエッジは、前記第３の誘電体シート１０４３のエッジの内側に位置し、前記第３のアンテナ１３０は、ＧＰＳをカバーする。更に、前記第３の誘電体シート１０４３の一部を前記第５のＬ字形スロット１０４１中に充填する又は前記第５のＬ字形スロット１０４１を覆うことで、前記デバイス１０の外観がスロットによって影響されず、それによって前記第３のアンテナ１３０は、実際の製品に用いることができることを保証する。
【００７２】
前記第３の誘電体シート１０４３は、プラスチックによって形成され、プラスチック−金属（ＰＭＨ）成型技術を用いて、前記第３の誘電体シート１０４３と前記金属シェルを共に合わせ、前記金属シェルの強度を確保することができる。
【００７３】
前記第３のアンテナ１３０は、ＧＰＳアンテナであることができ、前記第３のアンテナ１３０は、１．５７５ＧＨｚの共振分岐を含むことができ、前記第５のＬ字形スロット１０４１を分割することで形成される。図４に示されるように、前記共振分岐Ｌ８は、周波数が１．５７５ＧＨｚである共振を発生させる。
【００７４】
実施形態においては、前記第５のＬ字形スロット１０４１の前記第１の枝部１０４１１の長さは、６．１ｍｍであり、前記第５のＬ字形スロット１０４１の前記第１の枝部１０４１１の幅は、１．５ｍｍであり、前記第５のＬ字形スロット１０４１の前記第２の枝部１０４１２の長さは、３０．８ｍｍであり、前記第５のＬ字形スロット１０４１の前記第２の枝部１０４１２の幅は、１．５ｍｍである。前記第３のスロット１０４２の長さは、９．６ｍｍであり、前記第３のスロット１０４２の幅は、１．５ｍｍである。
【００７５】
図５に示されるように、前記第３のＬ字形フィーダー１０４４は、第１の枝部１０４４１及び第２の枝部１０４４２を有する。前記金属シェルの第２の内外方向Ｂにおいて、前記第２の枝部１０４４２の内側エッジは、前記第５のＬ字形スロット１０４１の前記第２の枝部１０４１２の外側エッジと同一平面上にあり、前記第３のＬ字形フィーダー１０４４の前記第１の枝部１０４４１の外側エッジは、前記第５のＬ字形スロット１０４１の前記第２の枝部１０４１２の外側エッジの外側に位置し、前記第３のＬ字形フィーダー１０４４の前記第１の枝部１０４４１の内側エッジは、前記第５のＬ字形スロット１０４１の前記第２の枝部１０４１２の内側エッジの内側に位置していて、それによって、前記第３のアンテナ１３０の構造は、より合理的であることができる。
【００７６】
実施形態においては、図５に示されるように、前記第３のＬ字形フィーダー１０４４の前記第１の枝部１０４４１は、第３の位相遅れの溝１０４４３を有する。前記第３の位相遅れの溝１０４４３の外側エッジは、前記第５のＬ字形スロット１０４１の前記第２の枝部１０４１２の外側エッジの外側に位置し、前記第３の位相遅れの溝１０４４３の内側エッジは、前記第５のＬ字形スロット１０４１の前記第２の枝部１０４１２の内側エッジの内側に位置する。前記第３のＬ字形フィーダー１０４４の前記第２の枝部１０４４２中に前記第３の位相遅れの溝１０４４３を形成することで、前記第３のＬ字形フィーダー１０４４は、位相遅れの構造を有し、それによって、前記第３のＬ字形フィーダー１０４４がその間に一定の位相差を有する２つの励振信号を発生することを可能とし、類似した複数の共振点を励振し、それによって、共振点の縮退によって帯域幅が拡張されることができる。
【００７７】
本開示の実施形態に係る前記電子デバイス１０の前記第３のアンテナ１３０では、前記第３の放射面１３０１として、前記後部金属シェル部分１０１３及び前記第２の側部金属シェル部分１０１２を用いることで、前記第３のアンテナ１３０は、前記金属シェルによって遮蔽されず、それによって前記第３のアンテナ１３０は、ＧＰＳをカバーすることができる。更に、前記第３の誘電体シート１０４３の一部が前記第５のＬ字形スロット１０４１中に充填される又は前記第５のＬ字形スロット１０４１を覆うことで、電子デバイス１０の外観がスロットによって影響されず、それによって、前記第３のアンテナ１３０は、実際の製品に用いることができることを保証する。
【００７８】
実施形態においては、図１及び５において、前記第４のアンテナ１０５は、前記金属シェルの中心線Ｘ−Ｘ’に対して、前記第２のアンテナ１２０と対称であり、第３の側部金属シェル部分１０１４及び前記後部金属シェル部分１０１３によって形成される第４の放射面１０５１を有する。前記第５のアンテナ１０６は、前記金属シェルの中心線Ｘ−Ｘ’に対して、前記第１のアンテナ１１０と対称であり、前記第３の側部金属シェル部分１０１４及び前記後部金属シェル部分１０１３によって形成される第５の放射面１０６１を有する。したがってデバイスの構造は、より合理的であることができる。
【００７９】
実施形態においては、前記電子デバイス１０は、前記金属シェル及び本開示の上記実施形態に係る前記第１の放射面１１０１を含む前記第１のアンテナ１１０を含む。前記金属シェルは、前記後部金属シェル部分１０１３、前記第１の側部金属シェル部分１０１１、前記第２の側部金属シェル部分１０１２、及び前記第３の側部金属シェル部分１０１４を含む。前記第１の放射面１１０１は、前記後部金属シェル部分１０１３及び前記第１の側部金属シェル部分１０１１によって形成される。
【００８０】
実施形態においては、前記電子デバイス１０は、本開示の上記実施形態に係る前記第２のアンテナ１２０、前記第３のアンテナ１３０、前記第４のアンテナ１０５、及び前記第５のアンテナ１０６の少なくとも１つを更に含むことができる。
【００８１】
前記第１のアンテナ、及び前記第２のアンテナ、前記第３のアンテナ、前記第４のアンテナ、及び前記第５のアンテナの少なくとも１つを配置することで、本開示の実施形態に係る電子デバイスは、ＷＷＡＮ、ＢＴ＆Ｗｉｆｉ、及びＧＰＳの少なくとも１つをカバーすることができる。更に、誘電体層の一部をスロット中に充填する又はスロットを覆うことで、電子デバイスの外観はスロットに影響されず、それによって上記アンテナは、実際の製品に用いることができる。
【００８２】
実施形態においては、前記電子デバイス１０は、それぞれ、ＷＷＡＮ、ＢＴ＆Ｗｉｆｉ、及びＧＰＳをカバーすることができる前記第１のアンテナ１１０、前記第２のアンテナ１２０、及び前記第３のアンテナ１３０を含む。前記第１のアンテナ１１０、前記第２のアンテナ１２０、及び前記第３のアンテナ１３０は、それぞれカップリングフィールドが可能で、それによってアルミニウム合金の溶接問題を解決することができる。
【００８３】
実施形態においては、スロットアンテナの代わりに、前記電子デバイス１０のアンテナは、直列でキャパシターと接続される平板逆Ｆ（ＰＩＦＡ）アンテナである。
【００８４】
前記第１の誘電体シート１０２６、前記第２の誘電体シート１０３３、及び前記第３の誘電体シート１０４３は、アンテナ整合のための場所を提供する。前記第１の誘電体シート１０２６、前記第２の誘電体シート１０３３、及び前記第３の誘電体シート１０４３は、それぞれ、ポリカーボネート（ＰＣ）によって形成される。前記第１の誘電体シート１０２６、前記第２の誘電体シート１０３３、及び前記第３の誘電体シート１０４３の比誘電率は、それぞれ、３であることができ、前記第１の誘電体シート１０２６、前記第２の誘電体シート１０３３、及び前記第３の誘電体シート１０４３の厚みは、それぞれ、１．５ｍｍであることができる。
【００８５】
前記第１の誘電体シート１０２６、前記第２の誘電体シート１０３３、及び前記第３の誘電体シート１０４３は、それぞれ整合回路を有することができる。水平面における前記第１の誘電体シート１０２６、前記第２の誘電体シート１０３３、及び前記第３の誘電体シート１０４３の投影は、それぞれ前記電子デバイス１０のスクリーンと前記電子デバイス１０のフレームとの間の隙間に落とされる。前記水平面における前記第１の誘電体シート１０２６、前記第２の誘電体シート１０３３、及び前記第３の誘電体シート１０４３のそれぞれの投影とは反対のプリント基板上の領域は、クリアにし、アンテナの性能に影響を及ぼすことがある寄生容量の発生を防ぐ必要がある。
【００８６】
前記第１のＬ字形フィーダー１０２７は、前記第２のＬ字形スロット１０２１の前記第１の枝部１０２１１を垂直に通ることができ、前記第１のＬ字形フィーダー１０２７の前記第１の枝部１０２７１の端部は、前記第２のＬ字形スロット１０２１の前記第１の枝部１０２１１と平行であることができる。前記第２のＬ字形フィーダー１０３４は、前記第４のＬ字形スロット１０３１の前記第１の枝部１０３１１を垂直に通ることができ、前記第２のＬ字形フィーダーの端部は、前記第４のＬ字形スロット１０３１の前記第１の枝部１０３１１と平行であることができる。前記第３のＬ字形フィーダー１０４４は、前記第５のＬ字形スロット１０４１の前記第２の枝部１０４１２を垂直に通ることができ、前記第３のＬ字形フィーダー１０４４の端部は、前記第５のＬ字形スロット１０４１の前記第２の枝部１０４１２と平行であることができる。
【００８７】
前記電子デバイス１０のための上記アンテナは、直列でコンデンサと接続されたＰＩＦＡアンテナであり、前記アンテナのデバッグモードは、ＰＩＦＡアンテナのものと同じであり、共振分岐の長さが波長の４分の１であれば、共振が発生する。前記電子デバイス１０の複雑な内部環境のために、前記スロット中に充填され、互いに密接にある金属素子及び材料は、アンテナの共振周波数を減少させることがある。共振分岐の幅は、共振分岐の電気長にも影響を及ぼすことがあり、それによって共振分岐の長さは、一定の幅の中において増減し、意図する位置で共振を発生させることができ、アンテナの最終的なサイズは、実際のデバッグ及びシミュレーションのデバッグの組合せに応じて決定することができる。
【００８８】
前記後部金属シェル部分１０１３の長さは、１７８ｍｍであることができ、前記後部金属シェル部分１０１３の幅は、１０８ｍｍであることができる。前記第１の側部金属シェル部分１０１１の長さは、１７８ｍｍであることができ、前記第１の側部金属シェル部分１０１１の幅は、９．５ｍｍであることができる。前記第２の側部金属シェル部分１０１２の長さは、１０８ｍｍであることができ、前記第２の側部金属シェル部分１０１２の幅は、９．５ｍｍであることができる。
【００８９】
前記第１のＬ字形フィーダー１０２７、前記第２のＬ字形フィーダー１０３４、及び前記第３のＬ字形フィーダー１０４４は、同軸ケーブルで接続される。前記第１の位相遅れの溝１０２７３（即ち、長方形の溝）のサイズは、２．３ｍｍ×４．４ｍｍである。即ち、２．３ｍｍ×４．４ｍｍのサイズを有する前記長方形の溝は、５．３ｍｍ×７．４ｍｍのサイズを有する長方形中に形成され、２．２５ｍｍ×１３．８ｍｍのサイズを有する他の長方形は、５．３ｍｍ×７．４ｍｍのサイズを有する長方形から前記後部金属シェル部分１０１３中のスロットに沿って内部へ延び、前記第１のＬ字形フィーダー１０２７を形成している。前記第２の位相遅れの溝１０３４３（即ち、長方形の溝）のサイズは、２．２４ｍｍ×３ｍｍである。即ち、２．２４ｍｍ×３ｍｍのサイズを有する長方形の溝は、５．３４ｍｍ×６ｍｍのサイズを有する長方形中に形成され、２．５ｍｍ×２．９１ｍｍのサイズを有する他の長方形は、５．３４ｍｍ×６ｍｍのサイズの長方形から前記後部金属シェル部分１０１３中のスロットに沿って内部へ延び、前記第２のＬ字形フィーダー１０３４を形成する。前記第３のＬ字形フィーダー１０４４の形成は、前記第１のＬ字形フィーダー１０２７及び前記第２のＬ字形フィーダー１０３４の形成と同じであるが、ここでは省略をする。
【００９０】
図９は、本開示の実施形態に係る第１のアンテナのメインアンテナのリターンロスの概略図である。前記リターンロスは、Ｓ１１として表され、その共振は、５つの通信帯域、即ちＧＳＭ（登録商標）８５０、ＧＳＭ（登録商標）９００、ＧＳＭ（登録商標）１８００、ＧＳＭ（登録商標）１９００、及びＵＭＴＳをカバーし、前記第１のアンテナ１１０の効率は、３５％超である。
【００９１】
図１０は、本開示の実施形態に係る第１のアンテナの従属アンテナのリターンロスの概略図である。前記リターンロスは、Ｓ１１として表され、その共振は、ＵＭＴＳ  ＲＸの１つの通信帯域をカバーする。前記第１のアンテナ１１０の効率は、４０％超である。
【００９２】
図１１は、本開示の実施形態に係る第２のアンテナのメインアンテナのリターンロスの概略図である。前記リターンロスは、Ｓ１１として表され、その共振は、２．４Ｇ／５Ｇの帯域をカバーする。前記第２のアンテナ１２０の効率は、４０％超である。
【００９３】
図１２は、本開示の実施形態に係る第２のアンテナの従属アンテナのリターンロスの概略図である。前記リターンロスは、Ｓ１１として表され、その共振は、２．４Ｇ／５Ｇの帯域をカバーする。前記第２のアンテナ１２０の効率は、３５％超である。
【００９４】
図１３は、本開示の実施形態に係る第３のアンテナのメインアンテナのリターンロスの概略図である。前記リターンロスは、Ｓ１１として表され、その共振は、１．５ＧＨｚ〜１．７ＧＨｚの帯域をカバーする。前記第３のアンテナ１３０の効率は、５０％超である。
【００９５】
「実施形態」、「幾つかの実施形態」、「１つの実施形態」、「他の例」、「例」、「具体的な例」、又は「幾つかの例」は、実施形態又は例に関連して記載される特定の部分、構造、材料、又は特徴が本開示の少なくとも１つの実施形態又は例中に含まれることを意味する。したがって、本明細書を通して様々な場所で記載される「幾つかの実施形態においては」、「１つの実施形態においては」、「実施形態においては」、「他の実施形態においては」、「例においては」、「具体的な例においては」、又は「幾つかの例においては」等の表現の出現は、必ずしも本開示の実施形態又は例と同じものを意味しているわけではない。更に、特定の部分、構造、材料、又は特徴は、１つ以上の実施形態又は例において任意の好適な方法で組合せてもよい。
【００９６】
説明的な実施形態を示し、記載してきたが、上記実施形態を本開示を限定するように解釈することはできないこと、及び、実施形態について、本開示の精神、原理、及び範囲から逸脱することなく、変更、代替、及び改変を行うことができることが当業者によって理解されよう。
【符号の説明】
【００９７】
１０        電子デバイス
１０５      第４のアンテナ
１０６      第５のアンテナ
１１０      第１のアンテナ
１２０      第２のアンテナ
１３０      第３のアンテナ
１０１１    第１の側部金属シェル部分
１０１２    第２の側部金属シェル部分
１０１３    後部金属シェル部分
１０１４    第３の側部金属シェル部分
１０２１    第２のＬ字形スロット
１０２２    第１のスロット
１０２３    第３のＬ字形スロット
１０２４    第１のＬ字形スロット
１０２５    第２のスロット
１０２６    第１の誘電体シート
１０２７    第１のＬ字形フィーダー
１０３１    第４のＬ字形スロット
１０３２    Ｔ字形スロット
１０３３    第２の誘電体シート
１０３４    第２のＬ字形フィーダー
１０４１    第５のＬ字形スロット
１０４２    第３のスロット
１０４３    第３の誘電体シート
１０４４    第３のＬ字形フィーダー
１１０１    第１の放射面
１１０２    略Ｔ字形スロット群
１２０１    第２の放射面
１３０１    第３の放射面
１０２１１  第１の枝部
１０２１２  第２の枝部
１０２３１  第１の枝部
１０２３２  第２の枝部
１０２４１  第１の枝部
１０２４２  第２の枝部
１０２７１  第１の枝部
１０２７２  第２の枝部
１０２７３  第１の位相遅れの溝
１０３１１  第１の枝部
１０３１２  第２の枝部
１０３２１  第１の枝部
１０３２２  第２の枝部
１０３４１  第１の枝部
１０３４２  第２の枝部
１０３４３  第２の位相遅れの溝
１０４１１  第１の枝部
１０４１２  第２の枝部
１０４４１  第１の枝部
１０４４２  第２の枝部
１０４４３  第３の位相遅れの溝
【図１】
0006316459.tif 000002
【図２】
0006316459.tif 000003
【図３】
0006316459.tif 000004
【図４】
0006316459.tif 000005
【図５】
0006316459.tif 000006
【図６】
0006316459.tif 000007
【図７】
0006316459.tif 000008
【図８】
0006316459.tif 000009
【図９】
0006316459.tif 000010
【図１０】
0006316459.tif 000011
【図１１】
0006316459.tif 000012
【図１２】
0006316459.tif 000013
【図１３】
0006316459.tif 000014
【図１４】
0006316459.tif 000015